(57)【要約】【課題】  鉄骨梁により形成される水平構面における斜辺寸法を、複数人の作業者を要することなく正確に計測することのできる寸法計測器を提供する。【解決手段】  寸法計測器１は長尺の鞘体１２１と、この鞘体１２１に内嵌されて摺動可能な目盛付き計測部１２２とを備えて伸縮自在となされた計測器本体１２を有し、この計測器本体１２の両端にフランジ２０１のボルト穴２１１に嵌挿しうる固定ピン１３を備える。そして、第１の梁と第２の梁との交差部Ｏと、第１の梁の適宜のボルト穴Ａと、第２の梁の適宜のボルト穴Ｂとによって形成される仮想三角形ＯＡＢにおいて、計測部１２２を鞘体１２１から引き出して斜辺ＡＢに架設し、各固定ピン１３をボルト穴ＡおよびＢに嵌挿させて固定して斜辺寸法の計測ができるように構成する。【選択図】  図２
2005201751.tif 000002
【特許請求の範囲】
【請求項１】
フランジに複数個のボルト穴が所定間隔で設けられた鉄骨梁を異方向に複数本接合して形成される水平構面において、第１の梁と第２の梁との交差部Ｏと、第１の梁の適宜のボルト穴Ａと、第２の梁の適宜のボルト穴Ｂとによって形成される仮想三角形ＯＡＢにおける斜辺ＡＢの長さを計測する寸法計測器であって、
長尺の鞘体と、この鞘体に内嵌されて摺動可能な目盛付き計測部とを備えて伸縮自在となされた計測器本体を有し、この計測器本体の両端にはフランジのボルト穴に嵌挿しうる固定ピンがそれぞれ備えられ、
計測部を鞘体から引き出して計測器本体を前記水平構面の斜辺ＡＢに架設し、各固定ピンをボルト穴ＡおよびＢに嵌挿させて固定することによって斜辺寸法の計測ができるように構成されたことを特徴とする寸法計測器。
【請求項２】
目盛は計測部の外側面に備えられ、目盛読み取り用のレンズが鞘体に設けられていることを特徴とする請求項１に記載の寸法計測器。
【発明の詳細な説明】
【技術分野】
【０００１】
本発明は、鉄骨梁を異方向に複数本接合して形成される水平構面において梁の斜辺寸法を測定するための寸法計測器に関する。
【背景技術】
【０００２】
主要構造部に鉄骨を使用した鉄骨造住宅等の架構式の建方において、現場施工を容易にするために、鉄骨梁のフランジに、柱・梁等の架構部材や床パネルまたは壁パネルなどを梁に接合するアンカーボルト取付用のボルト穴が穿設されている（例えば、特許文献１参照）。この種の構法では、梁のフランジに２列のボルト穴が長手方向に所定のピッチで穿設され、柱を接合することができるように形成されている。また、これらのボルト穴の両外側にそれぞれ１列のボルト穴を穿設して、床パネルや外壁パネル等の接合ゾーンが設けられたものもある。
【０００３】
ところで、かかる構法の鉄骨梁により形成される水平構面には、構面が菱形に変形するのを防いで水平力に抵抗しうるように２本のブレースが対角線状に配置されている。そして、これらの耐力を発揮させるために、梁やブレースを設計寸法通りに配置し、梁同士が互いに直交するように接合することが求められる。そこで、従来では水平構面の構築後、直交する２本の梁における対角寸法または斜辺寸法を計測し、かかる寸法をブレースの長さを調整することによって設計寸法通りに配置したり、異なる２方向の対角寸法または斜辺寸法を計測して、梁が直角に接合されていることを確認していた。
【０００４】
しかし、かかる調整作業は、少なくとも二人の作業者によって巻き尺の両端を保持しつつ各寸法を計測して行わなければならず、その寸法を確認しつつブレースの長さ調整を行うには、さらにもう一人の作業者が必要になるか、あるいは、巻き尺での計測後、いったん巻き尺から離れてブレース長さを調整し、再度巻き尺で寸法を確認するといった作業手順を踏まなければならず、作業効率が悪かった。
【０００５】
このように水平構面における角隅部の直角を確かめる手段として、上記のように巻き尺を使用するもののほか、例えば特許文献２には直角三角形の三辺の長さが目盛に記載された直角測定器が提案されている。
【特許文献１】特許第２９２０３０５号公報
【特許文献２】特開平１１−１１８４０４号公報
【発明の開示】
【発明が解決しようとする課題】
【０００６】
特許文献２に開示された測定器は、基本的に建物基礎の角隅部における直角を測定して、直角に地縄張りしたり墨出ししたりするためのものであり、別途枠部材を用いてコンクリート基礎に固定して計測する構成である。したがって、これをそのまま鉄骨梁の接合部に固定して使用することは困難であり、より簡便な方法で鉄骨梁に固定できることが必要である。
【０００７】
そこで本発明は、上記のような事情にかんがみてなされたものであり、鉄骨梁により形成される水平構面における斜辺寸法を複数人の作業者を要することなく正確に計測することのできる寸法計測器を提供するとともに、寸法の計測作業とブレース長さの調節作業とを並行して行うことを可能にして作業性を高め、鉄骨梁を設計寸法通りに精度よく配置できるようにすることを目的としている。
【課題を解決するための手段】
【０００８】
前記の課題を解決するため、本発明は、フランジに複数個のボルト穴が所定間隔で設けられた鉄骨梁を異方向に複数本接合して形成される水平構面において、第１の梁と第２の梁との交差部Ｏと、第１の梁の適宜のボルト穴Ａと、第２の梁の適宜のボルト穴Ｂとによって形成される仮想三角形ＯＡＢにおける斜辺ＡＢの長さを計測する寸法計測器であって、長尺の鞘体と、この鞘体に内嵌されて摺動可能な目盛付き計測部とを備えて伸縮自在となされた計測器本体を有し、この計測器本体の両端にはフランジのボルト穴に嵌挿しうる固定ピンがそれぞれ備えられている。そして、前記計測部を鞘体から引き出して計測器本体を前記水平構面の斜辺ＡＢに架設し、各固定ピンをボルト穴ＡおよびＢに嵌挿させて固定することによって斜辺寸法の計測ができるように構成されたことを特徴とする。
【０００９】
この発明により、施工現場において水平構面の斜辺方向に計測器本体を容易に架設・固定することができ、作業員一人でも水平構面の斜辺寸法を計測しつつブレースの長さ調整を行うことが可能となる。さらに、かかる水平構面において、第２の梁と第３の梁により形成される斜辺寸法を計測して、第１の梁と第２の梁により形成される斜辺の寸法と比較することで、水平構面の角隅部が直角に形成されているか否かを簡単かつ正確に判断することができる。
【００１０】
また本発明は、前記の寸法計測器において計測部の外側面に目盛が備えられ、鞘体には目盛読み取り用のレンズが設けられていることを特徴とする。これにより、目盛の表示が拡大されるので作業者は読み取りやすくなり、作業の流れを止めることなく寸法を計測することができる。
【発明の効果】
【００１１】
本発明により、第１の梁と第２の梁との間に寸法計測器を架設させて、水平構面における斜辺寸法を作業者一人でも正確に計測することができ、寸法の計測作業とブレース長さの調節作業とを並行して行うことが可能となる。したがって、従来のように複数人の作業者は必要なく、作業性が向上するとともに、鉄骨梁を設計寸法通りに精度よく配置することができるようになる。
【発明を実施するための最良の形態】
【００１２】
以下、本発明に係る寸法計測器の実施の形態について、図面を参照しつつ説明する。図１は本発明に係る寸法計測器を示す斜視図である。
【００１３】
寸法計測器１は、長尺の計測器本体１２と、この計測器本体１２の両端にそれぞれ備えられた固定ピン１３とからなる。図示するように、計測器本体１２は角パイプ状に形成された長尺の鞘体１２１と計測部１２２とからなり、計測部１２２が鞘体１２１に内嵌されて摺動可能とされている。これにより、計測器本体１２は計測部１２２を鞘体１２１から引き出して伸縮自在となされている。
【００１４】
計測部１２２の外側面には目盛１２３が備えられている。目盛１２３は、例えば適当な長さの鋼尺等を計測部１２２の一側面に添設して形成されている。また、この計測部１２２に外嵌する鞘体１２１には、目盛１２３を読み取るための凸レンズ１２４が備えられて、作業者が作業しながらも目盛を容易に読み取り可能なように構成されている。
【００１５】
また、この計測器本体１２の両端にはピン孔１２５が貫通して設けられ、各ピン孔１２５に固定ピン１３がそれぞれ嵌挿されている。固定ピン１３は、上端が拡径して抜止め部とされ、下端が梁のフランジに形成されたボルト穴に嵌挿しうるように形成されている。
【００１６】
次に、このような構成の寸法計測器１を用い、複数本の鉄骨梁からなる水平構面の斜辺寸法を計測する手順について、図２を参照しつつ説明する。図２は本発明に係る寸法計測器１を用いて、水平構面の斜辺寸法を計測する様子を示した斜視図である。
【００１７】
例示の形態において、鉄骨梁２１，２２，…は、フランジ２０１に複数個のボルト穴２１１が所定間隔で設けられている。そして、これらの鉄骨梁２１，２２，…が異方向に複数本接合されて、水平構面が形成されている。
【００１８】
この水平構面において、第１の梁２１と第２の梁２２との交差部をＯ、第１の梁２１の適宜のボルト穴をＡ、第２の梁２２の適宜のボルト穴をＢとしたとき、寸法計測器１は、これらによって形成される仮想三角形ＯＡＢにおける斜辺ＡＢの長さを計測するのに用いることができる。
【００１９】
斜辺ＡＢの長さを計測するにあたっては、まず、計測部１２２を鞘体１２１から引き出して計測器本体１２を伸張させ、この計測器本体１２を水平構面の斜辺ＡＢに架設する。このとき、計測器本体１２両端の各固定ピン１３を、梁２１のボルト穴Ａ、および梁２２のボルト穴Ｂに嵌挿させることで、計測器本体１２を固定することができる。
【００２０】
続いて、計測部１２２に備えられている目盛１２３を、凸レンズ１２４を介して読み取る。読み取った目盛１２３の数値と、あらかじめ与えられている鞘体１２１の長さ寸法とを加算して、斜辺ＡＢの寸法とすることができる。したがって、作業者は寸法計測器１を斜辺ＡＢに架設・固定すると、計測器本体１２を手で押さえて梁２１，２２，…に対して固定しておく必要がなく、計測器本体１２の目盛１２３を見ながらターンバックル３１を操作して、ブレース３の長さを調節する作業を行うことができる。
【００２１】
また、これらの梁２１，２２によって形成される斜辺ＡＢの寸法に対して、第２の梁２２と第３の梁２３とからなる仮想三角形の斜辺寸法を計測して、前記斜辺ＡＢの寸法と同一となるように調整することで、水平構面の角隅部を直角に形成することが可能となる。
【００２２】
このように、寸法計測器１を用いることで水平構面における斜辺ＡＢの寸法を、作業者一人でも正確に計測することができるようになり、これらの寸法の計測作業とブレース長さの調節作業とを並行して行うことが可能となって作業性が格段に高められる。
【産業上の利用可能性】
【００２３】
本発明は、鉄骨建築物の施工工程において、複数本の鉄骨梁を接合して形成された水平構面の対角方向の寸法や直角三角形の斜辺となる部分の寸法を計測して、鉄骨梁を精度よく配置して、構造的耐力を十分に発揮させるのに利用することができる。
【図面の簡単な説明】
【００２４】
【図１】本発明に係る寸法計測器の斜視図である。
【図２】本発明に係る寸法計測器を用いて水平構面の斜辺寸法計測の様子を示す斜視図である。
【符号の説明】
【００２５】
１    寸法計測器
１２  計測器本体
１２１  鞘体
１２２  計測部
１２３  目盛
１２４  レンズ
１３  固定ピン
２１，２２，２３  梁
２０１  フランジ
２１１  ボルト穴
３    ブレース
３１  ターンバックル
Ｏ    交差部
Ａ，Ｂ  ボルト穴
【図１】
2005201751.tif 000003
【図２】
2005201751.tif 000004